(57)【要約】【課題】光信号の異常を検知するための閾値の設定作業を簡略化可能な光切替装置を提供すること。【解決手段】光切替装置１０は、地点Ｎ１に光ファイバ２を介して接続されたポート２１、地点Ｎ１に光ファイバ３を介して接続されたポート２２、及び地点Ｎ２に光ファイバ４を介して接続されたポート２３を有する光スイッチ１１と、光ファイバ２を介して伝送される光信号の光パワーを検出する光検出器１２と、ポート２１がポート２３に光学的に接続されている場合に、タイミングＴ１において光検出器１２によって検出された光パワーを示す値である基準値Ｐｒｅｆ１と、タイミングＴ２において光検出器１２によって検出された光パワーと、に基づいて、ポート２３に光学的に接続されるポートをポート２１からポート２２に切り替えるように光スイッチ１１を制御する制御部１５と、を備える。【選択図】図２
2017183812.tif 000002
【特許請求の範囲】
【請求項１】
第１地点と第２地点との間の光通信経路を切り替えるための光切替装置であって、
前記第１地点に第１光通信経路を介して接続された第１ポート、前記第１地点に第２光通信経路を介して接続された第２ポート、及び前記第２地点に第３光通信経路を介して接続された第３ポートを有し、前記第１ポート及び前記第３ポートの光学的な接続と前記第２ポート及び前記第３ポートの光学的な接続とを切り替え可能な光スイッチと、
前記第１光通信経路を介して伝送される光信号の光パワーを検出する第１光検出器と、
第１タイミングにおいて前記第１光検出器によって検出された光パワーを示す値を第１基準値として記憶する記憶部と、
前記第１基準値に基づいて、前記光スイッチを制御する制御部と、
を備え、
前記制御部は、前記第１ポートが前記第３ポートに光学的に接続されている場合に、前記第１タイミングよりも後の第２タイミングにおいて前記第１光検出器によって検出された光パワーと、前記第１基準値と、に基づいて、前記第３ポートに光学的に接続されるポートを前記第１ポートから前記第２ポートに切り替えるように前記光スイッチを制御する、光切替装置。
【請求項２】
前記第２光通信経路を介して伝送される光信号の光パワーを検出する第２光検出器を更に備え、
前記記憶部は、第３タイミングにおいて前記第２光検出器によって検出された光パワーを示す値を第２基準値として更に記憶し、
前記制御部は、前記第２ポートが前記第３ポートに光学的に接続されている場合に、前記第３タイミングよりも後の第４タイミングにおいて前記第２光検出器によって検出された光パワーと、前記第２基準値と、に基づいて、前記第３ポートに光学的に接続されるポートを前記第２ポートから前記第１ポートに切り替えるように前記光スイッチを制御する、請求項１に記載の光切替装置。
【請求項３】
前記第２光通信経路を介して伝送される光信号の光パワーを検出する第２光検出器を更に備え、
前記光スイッチは、前記第１地点に第４光通信経路を介して接続された第４ポートを更に有し、前記第１ポート及び前記第３ポートの光学的な接続と前記第２ポート及び前記第３ポートの光学的な接続と前記第４ポート及び前記第３ポートの光学的な接続とを切り替え可能であり、
前記記憶部は、第３タイミングにおいて前記第２光検出器によって検出された光パワーを示す値を第２基準値として更に記憶し、
前記制御部は、前記第２ポートが前記第３ポートに光学的に接続されている場合に、前記第３タイミングよりも後の第４タイミングにおいて前記第２光検出器によって検出された光パワーと、前記第２基準値と、に基づいて、前記第３ポートに光学的に接続されるポートを前記第２ポートから前記第４ポートに切り替えるように前記光スイッチを制御する、請求項１に記載の光切替装置。
【請求項４】
前記第４光通信経路を介して伝送される光信号の光パワーを検出する第３光検出器を更に備え、
前記記憶部は、第５タイミングにおいて前記第３光検出器によって検出された光パワーを示す値を第３基準値として更に記憶し、
前記制御部は、前記第４ポートが前記第３ポートに光学的に接続されている場合に、前記第５タイミングよりも後の第６タイミングにおいて前記第３光検出器によって検出された光パワーと、前記第３基準値と、に基づいて、前記第３ポートに光学的に接続されるポートを前記第４ポートから前記第１ポートに切り替えるように前記光スイッチを制御する、請求項３に記載の光切替装置。
【発明の詳細な説明】
【技術分野】
【０００１】
本発明は、光切替装置に関する。
【背景技術】
【０００２】
光伝送システムでは、信頼性向上のために、経路の冗長化が行われることがある。例えば、特許文献１には、親局に接続される２つの幹線にそれぞれ接続された伝送路切替スイッチモジュール同士をバイパス用光ファイバで接続し、一方の幹線において障害が生じた場合に他方の幹線に切り替える伝送路冗長化方式が記載されている。この伝送路冗長化方式では、子局及び幹線の接続と、子局及びバイパス用光ファイバの接続とを切り替える光スイッチが設けられ、フォトダイオード等の光パワーモニタによって光信号の切断が検出されると、光スイッチの切替制御が行われる。
【先行技術文献】
【特許文献】
【０００３】
【特許文献１】特開２０１４−３４２４号公報
【発明の概要】
【発明が解決しようとする課題】
【０００４】
光信号の異常を検知するための閾値は、システム設計及びモニタを行う地点等により異なるので、それらの条件に応じて個別に設定される場合がある。このため、一般に、作業者が、モニタを行う地点において光信号の強度を検出し、その強度に応じて閾値を決定した上で、閾値を直接設定する。本技術分野では、光信号の異常を検知するための閾値の設定作業の簡略化が望まれている。
【０００５】
本発明は、光信号の異常を検知するための閾値の設定作業を簡略化可能な光切替装置を提供する。
【課題を解決するための手段】
【０００６】
本発明の一側面に係る光切替装置は、第１地点と第２地点との間の光通信経路を切り替えるための装置である。この光切替装置は、第１地点に第１光通信経路を介して接続された第１ポート、第１地点に第２光通信経路を介して接続された第２ポート、及び第２地点に第３光通信経路を介して接続された第３ポートを有し、第１ポート及び第３ポートの光学的な接続と第２ポート及び第３ポートの光学的な接続とを切り替え可能な光スイッチと、第１光通信経路を介して伝送される光信号の光パワーを検出する第１光検出器と、第１タイミングにおいて第１光検出器によって検出された光パワーを示す値を第１基準値として記憶する記憶部と、第１基準値に基づいて、光スイッチを制御する制御部と、を備える。制御部は、第１ポートが第３ポートに光学的に接続されている場合に、第１タイミングよりも後の第２タイミングにおいて第１光検出器によって検出された光パワーと、第１基準値と、に基づいて、第３ポートに光学的に接続されるポートを第１ポートから第２ポートに切り替えるように光スイッチを制御する。
【発明の効果】
【０００７】
本発明によれば、光信号の異常を検知するための閾値の設定作業を簡略化できる。
【図面の簡単な説明】
【０００８】
【図１】第１実施形態に係る光切替装置を含む光伝送システムを模式的に示す構成図である。
【図２】図１の光伝送システムの機能構成を模式的に示す図である。
【図３】図２に示された制御部が実行する一連の処理を示すフローチャートである。
【図４】第２実施形態に係る光切替装置を含む光伝送システムを模式的に示す構成図である。
【図５】第３実施形態に係る光切替装置を含む光伝送システムを模式的に示す構成図である。
【図６】図５に示された制御部が実行する一連の処理を示すフローチャートである。
【発明を実施するための形態】
【０００９】
［本願発明の実施形態の説明］
最初に本発明の実施形態の内容を列記して説明する。
【００１０】
本発明の一側面に係る光切替装置は、第１地点と第２地点との間の光通信経路を切り替えるための装置である。この光切替装置は、第１地点に第１光通信経路を介して接続された第１ポート、第１地点に第２光通信経路を介して接続された第２ポート、及び第２地点に第３光通信経路を介して接続された第３ポートを有し、第１ポート及び第３ポートの光学的な接続と第２ポート及び第３ポートの光学的な接続とを切り替え可能な光スイッチと、第１光通信経路を介して伝送される光信号の光パワーを検出する第１光検出器と、第１タイミングにおいて第１光検出器によって検出された光パワーを示す値を第１基準値として記憶する記憶部と、第１基準値に基づいて、光スイッチを制御する制御部と、を備える。制御部は、第１ポートが第３ポートに光学的に接続されている場合に、第１タイミングよりも後の第２タイミングにおいて第１光検出器によって検出された光パワーと、第１基準値と、に基づいて、第３ポートに光学的に接続されるポートを第１ポートから第２ポートに切り替えるように光スイッチを制御する。
【００１１】
この光切替装置では、第１地点に第１光通信経路を介して光スイッチの第１ポートが接続されており、第１地点に第２光通信経路を介して光スイッチの第２ポートが接続されており、第２地点に第３光通信経路を介して光スイッチの第３ポートが接続されている。第１タイミングにおいて検出された第１光通信経路を介して伝送される光信号の光パワーを示す値である第１基準値と、第１タイミングよりも後の第２タイミングにおいて検出された第１光通信経路を介して伝送される光信号の光パワーと、に基づいて、第３ポートに光学的に接続されるポートを第１ポートから第２ポートに切り替えるように光スイッチが制御される。このように、第１基準値に基づいて、光スイッチの切り替え制御が行われる。例えば、光信号の異常を検知するための閾値は、第１基準値から予め定められた値を減算した値に設定され、第２タイミングにおいて検出された第１光通信経路を介して伝送される光信号の光パワーが当該閾値よりも小さい場合に、光信号の異常が検出されて、光スイッチの切替が行われる。つまり、第１光通信経路を介して伝送される光信号の異常が検知された場合に、第２光通信経路が用いられる。このため、第１タイミングにおいて第１光通信経路を介して伝送される光信号の光パワーを検出するだけで、第１光通信経路を介して伝送される光信号の異常を検知するための閾値を設定することができる。その結果、第１光通信経路を介して伝送される光信号の異常を検知するための閾値の設定作業を簡略化することが可能となる。
【００１２】
上述の光切替装置は、第２光通信経路を介して伝送される光信号の光パワーを検出する第２光検出器を更に備えてもよい。記憶部は、第３タイミングにおいて第２光検出器によって検出された光パワーを示す値を第２基準値として更に記憶してもよい。制御部は、第２ポートが第３ポートに光学的に接続されている場合に、第３タイミングよりも後の第４タイミングにおいて第２光検出器によって検出された光パワーと、第２基準値と、に基づいて、第３ポートに光学的に接続されるポートを第２ポートから第１ポートに切り替えるように光スイッチを制御してもよい。この場合、第２光通信経路を介して伝送される光信号の異常が検知された場合に、第１光通信経路が用いられる。このように、第３タイミングにおいて第２光通信経路を介して伝送される光信号の光パワーを検出するだけで、第２光通信経路を介して伝送される光信号の異常を検知するための閾値を設定することができる。その結果、第２光通信経路を介して伝送される光信号の異常を検知するための閾値の設定作業を簡略化することが可能となる。
【００１３】
上述の光切替装置は、第２光通信経路を介して伝送される光信号の光パワーを検出する第２光検出器を更に備えてもよい。光スイッチは、第１地点に第４光通信経路を介して接続された第４ポートを更に有してもよく、第１ポート及び第３ポートの光学的な接続と第２ポート及び第３ポートの光学的な接続と第４ポート及び第３ポートの光学的な接続とを切り替え可能であってもよい。記憶部は、第３タイミングにおいて第２光検出器によって検出された光パワーを示す値を第２基準値として更に記憶してもよい。制御部は、第２ポートが第３ポートに光学的に接続されている場合に、第３タイミングよりも後の第４タイミングにおいて第２光検出器によって検出された光パワーと、第２基準値と、に基づいて、第３ポートに光学的に接続されるポートを第２ポートから第４ポートに切り替えるように光スイッチを制御してもよい。この場合、光スイッチが、第１地点に第１光通信経路、第２光通信経路及び第４光通信経路を介して接続される。第２光通信経路を介して伝送される光信号の異常が検知された場合に、第４光通信経路が用いられる。このような構成においても、第３タイミングにおいて第２光通信経路を介して伝送される光信号の光パワーを検出するだけで、第２光通信経路を介して伝送される光信号の異常を検知するための閾値を設定することができる。その結果、第２光通信経路を介して伝送される光信号の異常を検知するための閾値の設定作業を簡略化することが可能となる。
【００１４】
上述の光切替装置は、第４光通信経路を介して伝送される光信号の光パワーを検出する第３光検出器を更に備えてもよい。記憶部は、第５タイミングにおいて第３光検出器によって検出された光パワーを示す値を第３基準値として更に記憶してもよい。制御部は、第４ポートが第３ポートに光学的に接続されている場合に、第５タイミングよりも後の第６タイミングにおいて第３光検出器によって検出された光パワーと、第３基準値と、に基づいて、第３ポートに光学的に接続されるポートを第４ポートから第１ポートに切り替えるように光スイッチを制御してもよい。この場合、第５タイミングにおいて第４光通信経路を介して伝送される光信号の光パワーを検出するだけで、第４光通信経路を介して伝送される光信号の異常を検知するための閾値を設定することができる。その結果、第４光通信経路を介して伝送される光信号の異常を検知するための閾値の設定作業を簡略化することが可能となる。
【００１５】
［本願発明の実施形態の詳細］
本発明の実施形態に係る光切替装置の具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。
【００１６】
（第１実施形態）
図１は、第１実施形態に係る光切替装置を含む光伝送システムを模式的に示す構成図である。図２は、図１の光伝送システムの機能構成を模式的に示す図である。図１に示される光伝送システム１は、互いに異なる地点Ｎ１（第１地点）及び地点Ｎ２（第２地点）間で光信号を伝送するためのシステムである。本実施形態では、光伝送システム１は、地点Ｎ１から地点Ｎ２に光信号を伝送する。光伝送システム１は、光ファイバ２（第１光通信経路）と、光ファイバ３（第２光通信経路）と、光ファイバ４（第３光通信経路）と、光切替装置１０と、を含む。地点Ｎ１と光切替装置１０とは、光ファイバ２及び光ファイバ３のそれぞれを介して光学的に接続されている。地点Ｎ２と光切替装置１０とは、光ファイバ４を介して光学的に接続されている。光信号は、地点Ｎ１から光ファイバ２又は光ファイバ３を介して光切替装置１０に送信され、光ファイバ４を介して地点Ｎ２に送信される。
【００１７】
光切替装置１０は、地点Ｎ１と地点Ｎ２との間の光通信経路を切り替えるための装置である。光切替装置１０は、２入力１出力の光切替装置である。図２に示されるように、光切替装置１０は、光スイッチ１１と、光検出器１２（第１光検出器）と、光検出器１３（第２光検出器）と、記憶部１４と、制御部１５と、を備えている。
【００１８】
光スイッチ１１は、ポート２１（第１ポート）と、ポート２２（第２ポート）と、ポート２３（第３ポート）と、を備えている。ポート２１は、不図示のアダプタを介して、光ファイバ２のコネクタと接続されている。つまり、ポート２１は、光ファイバ２を介して地点Ｎ１に接続されており、光ファイバ２を介して地点Ｎ１から光信号を受信する。ポート２２は、不図示のアダプタを介して、光ファイバ３のコネクタと接続されている。つまり、ポート２２は、光ファイバ３を介して地点Ｎ１に接続されており、光ファイバ３を介して地点Ｎ１から光信号を受信する。ポート２３は、不図示のアダプタを介して、光ファイバ４のコネクタと接続されている。つまり、ポート２３は、光ファイバ４を介して地点Ｎ２に接続されており、光ファイバ４を介して地点Ｎ２に光信号を送信する。
【００１９】
光スイッチ１１は、ポート２３に光学的に接続されるポートをポート２１及びポート２２のいずれかに切り替え可能に構成されている。つまり、光スイッチ１１は、ポート２１及びポート２３の光学的な接続とポート２２及びポート２３の光学的な接続とを切り替え可能に構成されている。光スイッチ１１の切替制御は、制御部１５によって行われる。
【００２０】
光検出器１２は、光ファイバ２を介して伝送される光信号の光パワー（光強度）を検出する。光検出器１２は、例えば、光信号の光パワーに応じて電流値が変化する光電流を出力するフォトダイオード等の受光素子である。光検出器１２は、ポート２１の近傍に設けられる。光検出器１２は、例えば、光ファイバ２を介して受信された光信号から不図示の光分岐器によって分岐されたモニタ光の光パワーを検出することによって、当該光信号の光切替装置１０における光パワーを検出する。光検出器１２は、例えば、光電流を電圧に変換し、変換した電圧を制御部１５に出力する。
【００２１】
光検出器１３は、光ファイバ３を介して伝送される光信号の光パワーを検出する。光検出器１３は、例えば、光信号の光パワーに応じて電流値が変化する光電流を出力するフォトダイオード等の受光素子である。光検出器１３は、ポート２２の近傍に設けられる。光検出器１３は、例えば、光ファイバ３を介して受信された光信号から不図示の光分岐器によって分岐されたモニタ光の光パワーを検出することによって、当該光信号の光切替装置１０における光パワーを検出する。光検出器１３は、例えば、光電流を電圧に変換し、変換した電圧を制御部１５に出力する。
【００２２】
記憶部１４は、記憶されているデータの読み出し及び書き換えが可能な記憶素子である。記憶部１４は、例えば、ＥＥＰＲＯＭ（Electrically Erasable Programmable Read-Only Memory）、及びフラッシュＲＯＭ（Read Only Memory）等の不揮発性メモリである。記憶部１４は、基準値Ｐｒｅｆ１と、基準値Ｐｒｅｆ２と、変動量α１と、変動量β１と、を記憶している。基準値Ｐｒｅｆ１は、所定のタイミングＴ１において光検出器１２によって検出された光パワーを示す値であり、タイミングＴ２における光スイッチ１１の切替制御の基準となる値である。基準値Ｐｒｅｆ２は、所定のタイミングＴ３において光検出器１３によって検出された光パワーを示す値であり、タイミングＴ４における光スイッチ１１の切替制御の基準となる値である。
【００２３】
タイミングＴ１及びタイミングＴ３は同じであってもよく、異なっていてもよい。タイミングＴ１及びタイミングＴ３は、例えば、光伝送システム１の初期セットアップ完了後又は光伝送システム１における光伝送のサービス開始時である。タイミングＴ２は、タイミングＴ１の後のタイミングであり、光伝送システム１の稼働中においてポート２１がポート２３に光学的に接続されている状態での任意のタイミングである。タイミングＴ４は、タイミングＴ３の後のタイミングであり、光伝送システム１の稼働中においてポート２２がポート２３に光学的に接続されている状態での任意のタイミングである。
【００２４】
変動量α１は、ポート２１に入力する光信号の光パワーについて、基準値Ｐｒｅｆ１に対して許容される損失量である。変動量β１は、ポート２２に入力する光信号の光パワーについて、基準値Ｐｒｅｆ２に対して許容される損失量である。変動量α１及び変動量β１は、光伝送システム１に応じて決定され、予め設定されている。変動量α１及び変動量β１は、同じであってもよく、異なっていてもよい。変動量α１及び変動量β１は、例えば３〜５ｄＢｍ程度である。
【００２５】
制御部１５は、基準値Ｐｒｅｆ１及び基準値Ｐｒｅｆ２に基づいて光スイッチ１１を制御する。具体的には、制御部１５は、ポート２１がポート２３に光学的に接続されている場合に、タイミングＴ２において光検出器１２によって検出された光パワーと、基準値Ｐｒｅｆ１と、に基づいて、ポート２３に光学的に接続されるポートをポート２１からポート２２に切り替えるように光スイッチ１１を制御する。また、制御部１５は、ポート２２がポート２３に光学的に接続されている場合に、タイミングＴ４において光検出器１３によって検出された光パワーと、基準値Ｐｒｅｆ２と、に基づいて、ポート２３に光学的に接続されるポートをポート２２からポート２１に切り替えるように光スイッチ１１を制御する。
【００２６】
制御部１５は、例えば、ＣＰＵ（Central Processing Unit）、ＲＡＭ（Random Access Memory）、ＲＯＭ（Read Only Memory）及び入出力インターフェース等から構成されているコントローラである。制御部１５は、ＲＯＭに格納されている所定のプログラムをＲＡＭに読み出し、ＣＰＵによってプログラムを実行することによって、各処理を行うように動作する。制御部１５が実行する処理の詳細について以下に説明する。
【００２７】
図３は、図２に示された制御部が実行する一連の処理を示すフローチャートである。なお、この例においては、光伝送システム１の稼働開始時には、ポート２１とポート２３とが光学的に接続されることとする。
【００２８】
まず、地点Ｎ１から光ファイバ２を介して光信号が送信される。制御部１５は、タイミングＴ１において光検出器１２によって検出された光パワーを示す値Ｐ１を基準値Ｐｒｅｆ１として記憶部１４に記憶する（ステップＳ０１）。なお、基準値Ｐｒｅｆ１の設定は、例えば基準値Ｐｒｅｆ１を設定するためのボタン等が作業者により押下されることによって実施される。
【００２９】
続いて、地点Ｎ１から光ファイバ３を介して光信号が送信される。制御部１５は、タイミングＴ３において光検出器１３によって検出された光パワーを示す値Ｐ２を基準値Ｐｒｅｆ２として記憶部１４に記憶する（ステップＳ０２）。なお、基準値Ｐｒｅｆ２の設定は、例えば基準値Ｐｒｅｆ２を設定するためのボタン等が作業者により押下されることによって実施される。そして、制御部１５が、ポート２１とポート２３とが光学的に接続されるように光スイッチ１１を制御した後、光伝送システム１のサービスが開始される。ステップＳ０１の処理及びステップＳ０２の処理は、並行して行われてもよく、ステップＳ０２の処理がステップＳ０１の処理よりも先に行われてもよい。
【００３０】
続いて、制御部１５は、記憶部１４から基準値Ｐｒｅｆ１及び変動量α１を読み出し、基準値Ｐｒｅｆ１から変動量α１を減算した値を、ポート２１からポート２２に切り替えるための切替閾値Ｐｔｈ１として設定する。つまり、切替閾値Ｐｔｈ１は、光ファイバ２における光信号の異常を検知するための閾値である。そして、制御部１５は、タイミングＴ２において光検出器１２によって検出された光パワーを示す値Ｐ１と切替閾値Ｐｔｈ１とを比較する（ステップＳ０３）。値Ｐ１が切替閾値Ｐｔｈ１以上であると判定されると（ステップＳ０３；Ｎｏ）、制御部１５は、ポート２１とポート２３とが光学的に接続されている状態を維持するように光スイッチ１１を制御する。そして、制御部１５は、ステップＳ０３の処理を再び実行する。一方、ステップＳ０３において、値Ｐ１が切替閾値Ｐｔｈ１よりも小さいと判定されると（ステップＳ０３；Ｙｅｓ）、制御部１５は、ポート２３に光学的に接続されるポートをポート２１からポート２２に切り替えるように光スイッチ１１を制御する（ステップＳ０４）。
【００３１】
続いて、制御部１５は、記憶部１４から基準値Ｐｒｅｆ２及び変動量β１を読み出し、基準値Ｐｒｅｆ２から変動量β１を減算した値を、ポート２２からポート２１に切り替えるための切替閾値Ｐｔｈ２として設定する。つまり、切替閾値Ｐｔｈ２は、光ファイバ３における光信号の異常を検知するための閾値である。そして、制御部１５は、タイミングＴ４において光検出器１３によって検出された光パワーを示す値Ｐ２と切替閾値Ｐｔｈ２とを比較する（ステップＳ０５）。値Ｐ２が切替閾値Ｐｔｈ２以上であると判定されると（ステップＳ０５；Ｎｏ）、制御部１５は、ポート２２とポート２３とが光学的に接続されている状態を維持するように光スイッチ１１を制御する。そして、制御部１５は、ステップＳ０５の処理を再び実行する。一方、ステップＳ０５において、値Ｐ２が切替閾値Ｐｔｈ２よりも小さいと判定されると（ステップＳ０５；Ｙｅｓ）、制御部１５は、ポート２３に光学的に接続されるポートをポート２２からポート２１に切り替えるように光スイッチ１１を制御する（ステップＳ０６）。そして、制御部１５は、ステップＳ０３の処理を再び実行する。
【００３２】
以上説明したように、光切替装置１０では、地点Ｎ１に光ファイバ２を介して光スイッチ１１のポート２１が接続されており、地点Ｎ１に光ファイバ３を介して光スイッチ１１のポート２２が接続されており、地点Ｎ２に光ファイバ４を介して光スイッチ１１のポート２３が接続されている。タイミングＴ１において検出された光ファイバ２を介して伝送される光信号の光パワーを示す値である基準値Ｐｒｅｆ１と、タイミングＴ２において検出された光ファイバ２を介して伝送される光信号の光パワーと、に基づいて、ポート２３に光学的に接続されるポートをポート２１からポート２２に切り替えるように光スイッチ１１が制御される。このように、基準値Ｐｒｅｆ１に基づいて、光スイッチ１１の切替制御が行われる。切替閾値Ｐｔｈ１は、基準値Ｐｒｅｆ１から変動量α１を減算した値に設定され、タイミングＴ２において検出された光ファイバ２を介して伝送される光信号の光パワーの値が切替閾値Ｐｔｈ１よりも小さい場合に、光ファイバ２における光信号の異常が検出されて、光スイッチ１１の切替が行われる。つまり、光ファイバ２を介して伝送される光信号の異常が検知された場合に、光ファイバ３が用いられる。このため、タイミングＴ１において光ファイバ２を介して伝送される光信号の光パワーを検出するだけで、切替閾値Ｐｔｈ１を設定することができる。その結果、切替閾値Ｐｔｈ１の設定作業を簡略化することが可能となる。
【００３３】
同様に、光ファイバ３を介して伝送される光信号の異常が検知された場合に、光ファイバ２が用いられる。このように、タイミングＴ３において光ファイバ３を介して伝送される光信号の光パワーを検出するだけで、切替閾値Ｐｔｈ２を設定することができる。その結果、切替閾値Ｐｔｈ２の設定作業を簡略化することが可能となる。
【００３４】
例えば、切替閾値Ｐｔｈ１を作業者が直接設定する場合、作業者は、所定のタイミングにおいて、光検出器によって検出された光ファイバ２によって伝送される光信号の光パワーを確認し、その後、検出された光パワーを示す値Ｐ１から変動量α１を減算した値を計算した上でその値を切替閾値Ｐｔｈ１として光切替装置に直接設定する必要がある。この切替閾値Ｐｔｈ１は、光伝送システム及びその他の条件に応じて異なることから、切替閾値Ｐｔｈ１は光伝送システムに応じて個別に設定される必要がある。しかしながら、光切替装置１０では、作業者は、切替閾値Ｐｔｈ１を個別に直接設定する必要がなく、タイミングＴ１において、例えば基準値Ｐｒｅｆ１を設定するためのボタンを押下するだけでよいことから、切替閾値Ｐｔｈ１の設定作業を簡略化することが可能となる。切替閾値Ｐｔｈ２についても同様である。
【００３５】
（第２実施形態）
図４は、第２実施形態に係る光切替装置を含む光伝送システムを模式的に示す構成図である。図４に示される光伝送システム１Ａは、地点Ｎ２（図１参照）から地点Ｎ１（図１参照）に光信号を伝送するシステムである。具体的には、光伝送システム１Ａは、光切替装置１０に代えて光切替装置１０Ａを備える点、並びに、光ファイバ５、光ファイバ６、光ファイバ７、光ファイバ８、光分岐器３１、及び光分岐器３２を更に備える点で光伝送システム１と主に相違する。地点Ｎ１と光切替装置１０Ａとは、光ファイバ２及び光ファイバ５を介して光学的に接続されており、光ファイバ３及び光ファイバ７を介して光学的に接続されている。光信号は、地点Ｎ２から光ファイバ４を介して光切替装置１０Ａに送信され、光ファイバ２及び光ファイバ５又は光ファイバ３及び光ファイバ７を介して地点Ｎ１に送信される。
【００３６】
光分岐器３１，３２は、光信号を一定の比率で分岐するデバイスであって、例えば光カプラである。光分岐器３１は、地点Ｎ１近傍に設けられ、光ファイバ２を介して送信された光信号を光ファイバ５及び光ファイバ６に分岐する。光分岐器３１によって分岐されたモニタ光は、光ファイバ６によって光切替装置１０Ａに伝送される。光分岐器３２は、地点Ｎ１近傍に設けられ、光ファイバ３を介して送信された光信号を光ファイバ７及び光ファイバ８に分岐する。光分岐器３２によって分岐されたモニタ光は、光ファイバ８によって光切替装置１０Ａに伝送される。
【００３７】
光切替装置１０Ａは、１入力２出力の光切替装置である。具体的には、光切替装置１０Ａは、光検出器１２及び光検出器１３に代えて光検出器１２Ａ（第１光検出器）及び光検出器１３Ａ（第２光検出器）を備える点において光切替装置１０と主に相違する。光検出器１２Ａは、光ファイバ６を介して受信したモニタ光の光パワーを検出することによって、光ファイバ２を介して伝送される光信号の地点Ｎ１における光パワーを検出する。光検出器１３Ａは、光ファイバ８を介して受信したモニタ光の光パワーを検出することによって、光ファイバ３を介して伝送される光信号の地点Ｎ１における光パワーを検出する。
【００３８】
以上説明したように、光切替装置１０Ａにおいても、光切替装置１０と同様の効果が奏される。
【００３９】
（第３実施形態）
図５は、第３実施形態に係る光切替装置を模式的に示す構成図である。図５に示される光伝送システム１Ｂは、地点Ｎ１から地点Ｎ２に光信号を伝送するシステムである。具体的には、光伝送システム１Ｂは、光切替装置１０に代えて光切替装置１０Ｂを備える点、並びに、光ファイバ９（第４光通信経路）を更に備える点で光伝送システム１と主に相違する。つまり、地点Ｎ１と光切替装置１０Ｂとは、光ファイバ２、光ファイバ３及び光ファイバ９のそれぞれを介して光学的に接続されている。光信号は、地点Ｎ１から光ファイバ２、光ファイバ３又は光ファイバ９を介して光切替装置１０Ｂに送信され、光ファイバ４を介して地点Ｎ２に送信される。
【００４０】
光切替装置１０Ｂは、光スイッチ１１、記憶部１４及び制御部１５に代えて光スイッチ１１Ｂ、記憶部１４Ｂ及び制御部１５Ｂを備える点、並びに光検出器１６（第３光検出器）を更に備える点において光切替装置１０と主に相違する。
【００４１】
光スイッチ１１Ｂは、ポート２４（第４ポート）を更に備える点において光スイッチ１１と主に相違する。ポート２４は、不図示のアダプタを介して、光ファイバ９のコネクタと接続されている。つまり、ポート２４は、光ファイバ９を介して地点Ｎ１に接続されており、光ファイバ９を介して地点Ｎ１から光信号を受信する。光スイッチ１１Ｂは、ポート２３に光学的に接続されるポートをポート２１、ポート２２及びポート２４のうちのいずれかに切り替え可能に構成されている、つまり、光スイッチ１１Ｂは、ポート２１及びポート２３の光学的な接続とポート２２及びポート２３の光学的な接続とポート２４及びポート２３の光学的な接続とを切り替え可能に構成されている。
【００４２】
光検出器１６は、光ファイバ９を介して伝送される光信号の光パワーを検出する。光検出器１６は、例えば、光信号の光パワーに応じて電流値が変化する光電流を出力するフォトダイオード等の受光素子である。光検出器１６は、ポート２４の近傍に設けられる。光検出器１６は、例えば、光ファイバ９を介して受信された光信号から不図示の光分岐器によって分岐されたモニタ光の光パワーを検出することによって、当該光信号の光切替装置１０Ｂにおける光パワーを検出する。光検出器１６は、例えば、光電流を電圧に変換し、変換した電圧を制御部１５Ｂに出力する。
【００４３】
記憶部１４Ｂは、基準値Ｐｒｅｆ３と、変動量γ１と、を更に記憶している。基準値Ｐｒｅｆ３は、所定のタイミングＴ５において光検出器１６によって検出された光パワーを示す値であり、タイミングＴ６における光スイッチ１１Ｂの切替制御の基準となる値である。タイミングＴ５は、タイミングＴ１及びタイミングＴ３と同じであってもよく、異なっていてもよい。タイミングＴ５は、例えば、光伝送システム１Ｂの初期セットアップ完了後又は光伝送システム１Ｂにおける光伝送のサービス開始時である。タイミングＴ６は、タイミングＴ５の後のタイミングであり、光伝送システム１Ｂの稼働中においてポート２４がポート２３に光学的に接続されている状態での任意のタイミングである。
【００４４】
変動量γ１は、ポート２４に入力する光信号の光パワーについて、基準値Ｐｒｅｆ３に対して許容される損失量である。変動量γ１は、光伝送システム１Ｂに応じて決定され、予め設定されている。変動量γ１は、変動量α１及び変動量β１と同じであってもよく、異なっていてもよい。変動量γ１は、例えば３〜５ｄＢｍ程度である。
【００４５】
制御部１５Ｂは、基準値Ｐｒｅｆ１、基準値Ｐｒｅｆ２及び基準値Ｐｒｅｆ３に基づいて光スイッチ１１Ｂを制御する。具体的には、制御部１５Ｂは、ポート２１がポート２３に光学的に接続されている場合に、タイミングＴ２において光検出器１２によって検出された光パワーと、基準値Ｐｒｅｆ１と、に基づいて、ポート２３に光学的に接続されるポートをポート２１からポート２２に切り替えるように光スイッチ１１Ｂを制御する。また、制御部１５Ｂは、ポート２２がポート２３に光学的に接続されている場合に、タイミングＴ４において光検出器１３によって検出された光パワーと、基準値Ｐｒｅｆ２と、に基づいて、ポート２３に光学的に接続されるポートをポート２２からポート２４に切り替えるように光スイッチ１１Ｂを制御する。また、制御部１５Ｂは、ポート２４がポート２３に光学的に接続されている場合に、タイミングＴ６において光検出器１６によって検出された光パワーと、基準値Ｐｒｅｆ３と、に基づいて、ポート２３に光学的に接続されるポートをポート２４からポート２１に切り替えるように光スイッチ１１Ｂを制御する。制御部１５Ｂが実行する処理の詳細について以下に説明する。
【００４６】
図６は、図５に示された制御部が実行する一連の処理を示すフローチャートである。なお、この例においては、光伝送システム１Ｂの稼働開始時には、ポート２１とポート２３とが光学的に接続されることとする。ステップＳ１１〜Ｓ１２は、ステップＳ０１〜Ｓ０２と同じであるので、説明を省略する。
【００４７】
続いて、地点Ｎ１から光ファイバ９を介して光信号が送信される。制御部１５Ｂは、タイミングＴ５において光検出器１６によって検出された光パワーを示す値Ｐ３を基準値Ｐｒｅｆ３として記憶部１４Ｂに記憶する（ステップＳ１３）。なお、基準値Ｐｒｅｆ３の設定は、例えば基準値Ｐｒｅｆ３を設定するためのボタン等が作業者により押下されることによって実施される。そして、制御部１５Ｂが、ポート２１とポート２３とが光学的に接続されるように光スイッチ１１Ｂを制御した後、光伝送システム１Ｂのサービスが開始される。ステップＳ１１〜Ｓ１３の処理は、並行して行われてもよく、任意の順番で行われてもよい。ステップＳ１４〜Ｓ１６は、ステップＳ０３〜Ｓ０５と同じであるので、説明を省略する。
【００４８】
ステップＳ１６において、値Ｐ２が切替閾値Ｐｔｈ２よりも小さいと判定されると（ステップＳ１６；Ｙｅｓ）、制御部１５Ｂは、ポート２３に光学的に接続されるポートをポート２２からポート２４に切り替えるように光スイッチ１１Ｂを制御する（ステップＳ１７）。続いて、制御部１５Ｂは、記憶部１４Ｂから基準値Ｐｒｅｆ３及び変動量γ１を読み出し、基準値Ｐｒｅｆ３から変動量γ１を減算した値を、ポート２４からポート２１に切り替えるための切替閾値Ｐｔｈ３として設定する。つまり、切替閾値Ｐｔｈ３は、光ファイバ９における光信号の異常を検知するための閾値である。そして、制御部１５Ｂは、タイミングＴ６において光検出器１６によって検出された光パワーを示す値Ｐ３と切替閾値Ｐｔｈ３とを比較する（ステップＳ１８）。
【００４９】
値Ｐ３が切替閾値Ｐｔｈ３以上であると判定されると（ステップＳ１８；Ｎｏ）、制御部１５Ｂは、ポート２４とポート２３とが光学的に接続されている状態を維持するように光スイッチ１１Ｂを制御する。そして、制御部１５Ｂは、ステップＳ１８の処理を再び実行する。一方、ステップＳ１８において、値Ｐ３が切替閾値Ｐｔｈ３よりも小さいと判定されると（ステップＳ１８；Ｙｅｓ）、制御部１５Ｂは、ポート２３に光学的に接続されるポートをポート２４からポート２１に切り替えるように光スイッチ１１Ｂを制御する（ステップＳ１９）。そして、制御部１５Ｂは、ステップＳ１４の処理を再び実行する。
【００５０】
以上説明したように、光切替装置１０Ｂにおいても、光切替装置１０と同様の効果が奏される。また、光切替装置１０Ｂでは、タイミングＴ５において光ファイバ９を介して伝送される光信号の光パワーを検出するだけで、切替閾値Ｐｔｈ３を設定することができる。その結果、切替閾値Ｐｔｈ３の設定作業を簡略化することが可能となる。
【００５１】
なお、本発明に係る光切替装置は上記実施形態に限定されない。例えば、光切替装置１０Ａにおいても、光切替装置１０Ｂと同様に光スイッチ１１がポート２４を更に備えてもよい。なお、光スイッチ１１において、地点Ｎ１と接続される光ファイバを接続するためのポートの数は、４以上でもよい。
【００５２】
また、光切替装置１０，１０Ａ，１０Ｂは、地点Ｎ１及び地点Ｎ３と地点Ｎ２との間の光通信経路を切り替える装置であってもよい。この場合、例えば光切替装置１０では、光ファイバ２は、地点Ｎ１と光切替装置１０とを接続し、光ファイバ３は、地点Ｎ３と光切替装置１０とを接続する。光切替装置１０Ａ，１０Ｂについても同様である。
【００５３】
また、基準値Ｐｒｅｆ１、基準値Ｐｒｅｆ２及び基準値Ｐｒｅｆ３は、適宜変更されてもよい。例えば、光ファイバ２が交換された場合に、基準値Ｐｒｅｆ１が再設定されてもよく、光ファイバ３が交換された場合に、基準値Ｐｒｅｆ２が再設定されてもよく、光ファイバ９が交換された場合に、基準値Ｐｒｅｆ３が再設定されてもよい。
【００５４】
また、光ファイバ２が常用経路として用いられ、光ファイバ３及び光ファイバ９が予備経路として用いられてもよい。この場合、ポート２３に光学的に接続されるポートがポート２１からポート２２に切り替えられた後に、光ファイバ２の障害が取り除かれると、値Ｐ２の大きさによらずにポート２３に光学的に接続されるポートがポート２２からポート２１に切り替えられてもよい。したがって、光切替装置１０，１０Ａ，１０Ｂは、光検出器１３を備えていなくてもよく、記憶部１４，１４Ｂは、基準値Ｐｒｅｆ２及び変動量β１を記憶していなくてもよい。
【００５５】
また、季節によって、光ファイバにおける線路損失が異なることがある。例えば、夏季と比較して冬季では、５０ｋｍ程度の光通信経路において損失が数ｄＢｍ程度増加することがある。このため、タイミングＴ１は、光ファイバ２における線路損失が最も小さい時であってもよく、例えば、光伝送システム１，１Ａ，１Ｂの初期セットアップ完了後の初めの夏季であってもよい。同様に、タイミングＴ３は、光ファイバ３における線路損失が最も小さい時であってもよく、例えば、光伝送システム１，１Ａ，１Ｂの初期セットアップ完了後の初めの夏季であってもよい。同様に、タイミングＴ５は、光ファイバ９における線路損失が最も小さい時であってもよく、例えば、光伝送システム１Ｂの初期セットアップ完了後の初めの夏季であってもよい。
【００５６】
また、光切替装置１０，１０Ｂは、地点Ｎ１及び地点Ｎ２間の光通信経路において、地点Ｎ１よりも地点Ｎ２に近い位置に設けられてもよい。光切替装置１０Ａは、地点Ｎ１及び地点Ｎ２間の光通信経路において、地点Ｎ２よりも地点Ｎ１に近い位置に設けられてもよい。
【００５７】
記憶部１４，１４Ｂは、変動量α２及び変動量β２を更に記憶していてもよい。変動量α２は、基準値Ｐｒｅｆ１に対して、ポート２１に入力する光信号の光パワーの低下を通知するための損失量である。変動量α２は、変動量α１よりも小さい値である。変動量β２は、基準値Ｐｒｅｆ２に対して、ポート２２に入力する光信号の光パワーの低下を通知するための損失量である。変動量β２は、変動量β１よりも小さい値である。変動量α２及び変動量β２は、光伝送システム１，１Ａ，１Ｂに応じて決定され、予め設定されている。変動量α２及び変動量β２は、同じであってもよく、異なっていてもよい。変動量α２及び変動量β２は、例えば１〜２ｄＢｍ程度である。この場合、制御部１５，１５Ｂは、基準値Ｐｒｅｆ１から変動量α２を減算した値を、光ファイバ２における損失増加を通知するための閾値Ａｔｈ１として設定する。そして、制御部１５，１５Ｂは、ポート２１がポート２３に光学的に接続されている場合に、タイミングＴ２における値Ｐ１が閾値Ａｔｈ１よりも小さいと判定すると、不図示の表示器等に警報を発生させる。同様に、制御部１５，１５Ｂは、基準値Ｐｒｅｆ２から変動量β２を減算した値を、光ファイバ３における損失増加を通知するための閾値Ａｔｈ２として設定する。そして、制御部１５，１５Ｂは、ポート２２がポート２３に光学的に接続されている場合に、タイミングＴ４における値Ｐ２が閾値Ａｔｈ２よりも小さいと判定すると、不図示の表示器等に警報を発生させる。
【００５８】
また、記憶部１４Ｂは、変動量γ２を更に記憶していてもよい。変動量γ２は、基準値Ｐｒｅｆ３に対して、ポート２４に入力する光信号の光パワーの低下を通知するための損失量である。変動量γ２は、変動量γ１よりも小さい値である。変動量γ２は、光伝送システム１Ｂに応じて決定され、予め設定されている。変動量γ２は、変動量α２及び変動量β２と同じであってもよく、異なっていてもよい。変動量γ２は、例えば１〜２ｄＢｍ程度である。この場合、制御部１５Ｂは、基準値Ｐｒｅｆ３から変動量γ２を減算した値を、光ファイバ９における損失増加を通知するための閾値Ａｔｈ３として設定する。そして、制御部１５Ｂは、ポート２４がポート２３に光学的に接続されている場合に、タイミングＴ６における値Ｐ３が閾値Ａｔｈ３よりも小さいと判定すると、不図示の表示器等に警報を発生させる。
【符号の説明】
【００５９】
２…光ファイバ（第１光通信経路）、３…光ファイバ（第２光通信経路）、４…光ファイバ（第３光通信経路）、９…光ファイバ（第４光通信経路）、１０，１０Ａ，１０Ｂ…光切替装置、１１，１１Ｂ…光スイッチ、１２，１２Ａ…光検出器（第１光検出器）、１３，１３Ａ…光検出器（第１光検出器）、１４，１４Ｂ…記憶部、１５，１５Ｂ…制御部、１６…光検出器（第３光検出器）、２１…ポート（第１ポート）、２２…ポート（第２ポート）、２３…ポート（第３ポート）、２４…ポート（第４ポート）、Ｎ１…地点（第１地点）、Ｎ２…地点（第２地点）。
【図１】
2017183812.tif 000003
【図２】
2017183812.tif 000004
【図３】
2017183812.tif 000005
【図４】
2017183812.tif 000006
【図５】
2017183812.tif 000007
【図６】
2017183812.tif 000008